(57)【要約】【課題】ユーザの意思により単一の動作ですばやく系列局を選局できるデジタル放送受信装置を得ること。【解決手段】受信可能な周波数帯を順次走査した際に、デジタル放送信号を受信できた放送局を該放送局の系列局番号および固有識別子に対応付けて記憶した記憶部と、ユーザ操作により系列局の選局を指示する信号を出力する操作部とを備え、前記操作部より出力された信号を受信すると、前記記憶部を参照して、受信中のデジタル放送信号に含まれた系列局番号と同一の系列局番号を有する放送局が存在するか否かを判定し、該判定結果に基づき選局を行うことを特徴とする。【選択図】図１
2008294744.tif 000002
【特許請求の範囲】
【請求項１】
放送局から送信されたデジタル放送信号を受信するデジタル放送受信装置において、
受信したデジタル放送信号の選局を行うチューナと、
受信可能な周波数帯を順次走査した際に、デジタル放送信号を受信できた放送局の固有識別子および物理チャネル番号を該放送局の系列局番号に対応付けて記憶した記憶部と、
ユーザ操作により系列局の選局を指示する信号を出力する操作部と、
前記操作部より系列局の選局を指示する信号が出力されると、受信中のデジタル放送信号に含まれた系列局番号を出力する制御部と、
前記制御部から系列局番号が出力されると、前記記憶部を参照して前記制御部より出力された系列局番号と同一の系列局番号を有する放送局が存在するか否かを判定し、該判定結果を出力する判定部とを備え、
前記制御部は、前記判定結果に基づき前記チューナへ選局を指示することを特徴とするデジタル放送受信装置。
【請求項２】
放送局から送信されたデジタル放送信号を受信するデジタル放送受信装置において、
受信したデジタル放送信号の選局を行うチューナと、
受信可能な周波数帯を順次走査した際に、デジタル放送信号を受信できた放送局の固有識別子および物理チャネル番号を該放送局の系列局番号に対応付けて記憶した記憶部と、
ユーザ操作を受け付けるボタンを備え、前記ボタンが短押された場合、系列局の選局を指示する信号を出力し、前記ボタンが長押された場合、受信可能な周波数帯を順次走査して系列局の選局を指示する信号を出力する操作部と、
前記操作部より系列局の選局を指示する信号が出力されると、受信中のデジタル放送信号に含まれた系列局番号を出力し、前記操作部より受信可能な周波数帯を順次走査して系列局の選局を指示する信号が出力されると、受信可能な周波数帯を順次走査して系列局を選局するよう指示する制御部と、
前記制御部から系列局番号が出力されると、前記記憶部を参照して前記制御部より出力された系列局番号と同一の系列局番号を有する放送局が存在するか否かを判定し、前記記憶部に前記制御部より出力された系列局番号と同一の系列局番号を有する放送局が存在する場合、該放送局の固有識別子を出力する判定部とを備え、
前記制御部は、前記判定部より固有識別子が出力された場合、前記固有識別子に対応する物理チャンネル番号を前記チューナへ指示することを特徴とするデジタル放送受信装置。
【請求項３】
前記制御部は、受信中のデジタル放送信号に含まれた系列局番号と同一の系列局番号を有する放送局が前記記憶部に複数存在する場合、前記複数の放送局のうち１の放送局の選局を指示し、一定時間内に前記選局された放送局から送信されるデジタル放送信号を受信できない場合、前記複数の放送局のうち、前記選局された放送局とは異なる放送局を選局するよう前記チューナへ指示することを特徴とする請求項１または請求項２記載のデジタル放送受信装置。
【請求項４】
前記記憶部は、系列局ごとに、前記放送局の固有識別子と物理チャンネル番号とを対応して記憶していることを特徴とする請求項１から請求項３のうちのいずれか１項記載のデジタル放送受信装置。
【発明の詳細な説明】
【技術分野】
【０００１】
この発明は、系列局の選局時間を短縮したデジタル放送受信装置に関する。
【背景技術】
【０００２】
デジタル放送の場合、受信したデジタル放送信号に含まれる放送局の固有識別子（以下ＴＳＩＤと記載）、放送局名、物理チャンネル番号、系列局番号等の情報（以下、チャンネル情報と記載）が送信される周期や変調方式等の関係により、アナログ放送の場合に比べて、チャンネルサーチ動作に時間が掛かるという問題がある。このため、従来のデジタル放送受信装置は、予め、受信可能なチャンネル（周波数帯）を検索して、該検索したチャンネルを放送局名と共に、リモコン番号に関連付けて記憶しておき、受信状態が悪くなった場合、ユーザにより指定されているリモコン番号に関連付けられたチャンネルを選局するようにしたものがある（例えば、特許文献１参照）。また、予め全ての放送局を系列局ごとに記憶しておき、受信状態が悪くなった場合、前記受信中の放送局と同一系列の放送局から最も受信電力の高いチャンネルを選局するようにしたものがある（例えば、特許文献２参照）。
【０００３】
【特許文献１】特開２００６−２３８１１７号公報
【特許文献２】特開２００１−４４８０３号公報
【発明の開示】
【発明が解決しようとする課題】
【０００４】
従来のデジタル放送受信装置は、上記のように構成されており、デジタル放送信号を受信できなくなった場合、ユーザにより指定されているリモコン番号に関連付けられたチャンネルを選局するようにしたものでは、受信状態が悪くなると、自動的に系列局に切り替わるため、受信中であった放送局の番組と系列局の番組とが異なる場合等に、ユーザの意思に反して系列局に切り替わってしまうという課題があった。また、予め全ての放送局を系列局ごとに記憶しておくものでは、膨大な記憶容量が必要となり、さらに系列局番号等が変更された場合には、記憶情報を更新する必要が生ずるという課題があった。
【０００５】
この発明は、上記のような課題を解決するためになされたもので、ユーザの意思により単一の動作ですばやく系列局を選局できるデジタル放送受信装置を得ることを目的とする。
【課題を解決するための手段】
【０００６】
この発明は、受信可能な周波数帯を順次走査した際に、デジタル放送信号を受信できた放送局を該放送局の系列局番号および固有識別子に対応付けて記憶した記憶部と、ユーザ操作により系列局の選局を指示する信号を出力する操作部とを備え、前記操作部より出力された信号を受信すると、前記記憶部を参照して、受信中のデジタル放送信号に含まれた系列局番号と同一の系列局番号を有する放送局が存在するか否かを判定し、該判定結果に基づき選局を行うことを特徴とする。
【発明の効果】
【０００７】
この発明は、受信可能な周波数帯を順次走査した際に、デジタル放送信号を受信できた放送局を該放送局の系列局番号および固有識別子に対応付けて記憶した記憶部と、ユーザ操作により系列局の選局を指示する信号を出力する操作部とを備え、前記操作部より出力された信号を受信すると、前記記憶部を参照して、受信中のデジタル放送信号に含まれた系列局番号と同一の系列局番号を有する放送局が存在するか否かを判定し、該判定結果に基づき選局を行うようにしたので、ユーザの意思により単一の動作ですばやく系列局を選局できるという効果がある。
【発明を実施するための最良の形態】
【０００８】
以下、この発明を実施するための最良の形態について、添付の図面に従って説明する。
実施の形態１．
図１は、実施の形態１によるデジタル放送受信装置の構成図である。この実施の形態１によるデジタル放送受信装置は、アンテナ１と、チューナ２と、信号分離部３と、映像デコーダ４と、音声デコーダ６と、ＯＳＤ（On Screen Display）重畳部５と、ＣＰＵ（Central Processing Unit）７と、チャンネル情報記憶部（記憶部）８と、受信部９と、リモコン（操作部）１０とを備える。アンテナ１は、放送局から送信されるデジタル放送信号を受信する。チューナ２は、アンテナ１で受信したデジタル放送信号の選局を行い、選局後のデジタル放送信号をＩＦ（Intermediate Frequency）信号に変換して出力する。信号分離部３は、チューナ２から出力されたＩＦ信号を映像ストリーム、音声ストリーム、その他の情報信号（以下、付加データと記載）に分離して出力する。
【０００９】
映像デコーダ４は、信号分離部３から出力された映像ストリームの復元（デコード）を行い、映像信号として出力する。音声デコーダ６は信号分離部３から出力された音声ストリームの復元（デコード）を行い、音声信号として出力する。受信部９は、リモコン１０から送信された信号を受信して出力する。ＯＳＤ重畳部５は、ＣＰＵ７からの指示に基づき物理チャンネル番号、放送局名等のチャンネルバナーやリモコン１０を操作した際のメニュー画面等を映像デコーダ４から出力された映像信号の映像に重畳して表示する。
【００１０】
図２は、リモコン１０を示した図であり、ユーザがリモコン１０の系列局ボタン１１を押すと、リモコン１０より現在受信中の放送局の系列局のサーチを指示する信号（系列局サーチ信号）が送信される。また、ユーザがリモコン１０に配置された他のボタンを押すと、押されたボタンに応じた指示信号が送信される。
【００１１】
図３は、チャンネル情報記憶部８に記憶された情報構造を示した図であり、地上波デジタル放送に割り当てられている周波数帯ＵＨＦ（Ultra High Frequency）１３（物理チャンネル番号１３）からＵＨＦ６２（物理チャンネル番号６２）を順次走査した際に受信したデジタル放送信号の付加データに含まれるＴＳＩＤ、放送局名、物理チャンネル番号等のチャンネル情報を記憶している。なお、チャンネル情報記憶部８には、地上波デジタル放送に割り当てられている周波数帯ＵＨＦ１３からＵＨＦ６２を順次走査した際に得られたチャンネル情報（以下、プリセット情報と記載）を複数記憶することができる。
【００１２】
ＣＰＵ７は、信号分離部３から出力された付加データを受信する付加データ受信部７１と、受信部９より系列局サーチ信号が出力されると、付加データ受信部７１から付加データを取得して、前記付加データに含まれた系列局番号を判定部７３へ出力し、判定部７３での判定結果に基づきチューナ２へ選局を指示すると共に、選局前のデジタル放送信号の映像ストリームおよび音声ストリームのデコード処理を停止して、選局後のデジタル放送信号の映像ストリームおよび音声ストリームのデコード処理を開始するよう映像デコーダ４および音声デコーダ６へそれぞれ指示する制御部７２と、制御部７２から系列局番号が出力されると、チャンネル情報記憶部８を参照して、同一系列局番号を有する放送局が存在するか否か判定を行い、該判定結果を出力する判定部７３を備えている。
【００１３】
次に動作について説明する。
図４は、この実施の形態１によるデジタル放送受信装置の動作を示したフローチャートである。なお、この実施の形態１では、図３に示すように、チャンネル情報記憶部８にプリセット情報が一つ（プリセット情報Ａ）だけ記憶されており、放送局「ＡＡＡ」から送信されるデジタル放送信号が選局されているものとして説明を行う。
放送局「ＡＡＡ」の受信エリアから外れたため、放送局「ＡＡＡ」から送信されるデジタル放送信号が受信できなくなった場合に、ユーザによりリモコン１０の系列局ボタン１１が押されると、リモコン１０から系列局サーチ信号が送信される（ステップＳＴ１）。受信部９は前記系列局サーチ信号を受信すると、前記系列局サーチ信号を制御部７２へ出力する。制御部７２は、受信部９より系列局サーチ信号が出力されると、付加データ受信部７１から付加データを取得して、前記付加データに含まれる放送局「ＡＡＡ」の系列局番号「０」を判定部７３へ出力する。
【００１４】
判定部７３は、制御部７２から系列局番号「０」が出力されると、該系列局番号「０」と同一の系列局番号を有する放送局がチャンネル情報記憶部８に存在するかを確認判定する（ステップＳＴ２、ステップＳＴ３）。ここでは、同一系列局番号「０」を有する放送局「ＧＧＧ」が存在するため、判定部７３は、チャンネル情報記憶部８より、同一系列局番号「０」を有する放送局「ＧＧＧ」のＴＳＩＤ「７Ｄ５０」を取得して、ＴＳＩＤ「７Ｄ５０」を制御部７２へ出力する。制御部７２は、判定部７３から出力されたＴＳＩＤ「７Ｄ５０」に基づき、チューナ２へＴＳＩＤ「７Ｄ５０」の放送局「ＧＧＧ」の物理チャンネル番号「２７」を選局するよう指示し、チューナ２は、前記指示に基づき、放送局「ＧＧＧ」の物理チャンネル番号「２７」を選局する（ステップＳＴ４）。
【００１５】
また、ステップＳＴ３にて、同一系列局番号「０」が存在しない場合、判定部７３は、同一系列局番号「０」が存在しない旨を制御部７２に通知し、制御部７２は、地上波デジタル放送に割り当てられている物理チャンネル番号１３から６２を順次走査するようチューナ２へ指示する。チューナ２は前記指示に基づき、物理チャンネル番号１３から６２を順次走査する。制御部７２は、同一のＴＳＩＤを有する放送局が選局されるまで、該走査を行う（以下、物理チャンネルサーチと記載）（ステップＳＴ５）。
【００１６】
以上のように、実施の形態１によるデジタル放送受信装置は、ユーザによりリモコン１０の系列局ボタン１１が押されると、受信中の放送局の系列局番号と同一の系列局番号を有する放送局がチャンネル情報記憶部８に存在するか否かを判定して、同一の系列局番号が存在する場合には、前記同一系列局番号を有する放送局を選局するように構成したので、物理チャンネルサーチを行うことなく、ユーザの意思により、単一の動作で即座に系列局を選局することができるという効果がある。また、予め全ての放送局を系列局ごとに記憶することなく、プリセット情報のみを記憶部８に記憶するようにしたので、膨大な記憶容量を必要としないという効果がある。なお、系列局サーチ信号をリモコンから送信するのではなく、デジタル放送受信装置に系列局ボタンを備えた操作部１２を設けてもよい。
【００１７】
実施の形態２．
実施の形態１では、リモコン１０の系列局ボタン１１を押すと、系列局サーチ信号を送信する形態について説明したが、この実施の形態２では、リモコン１０の系列局ボタン１１を押す時間の違い、すなわち長押（押された時間が２秒以上）か、短押（押された時間が２秒未満）かにより、系列局をサーチする動作を変更する形態について説明する。なお、リモコン１０以外の構成については、実施の形態１と同様であるため、その説明を省略する。
【００１８】
次に動作について説明する。
図５は、実施の形態２によるデジタル放送受信装置の動作を示したフローチャートである。リモコン１０は、系列局ボタンが短押されたか否かを判定し（ステップＳＴ１１）、系列局ボタン１１が短押された場合、系列局サーチ信号を送信し、受信部９は前記系列局サーチ信号を受信して制御部７２へ出力する。制御部７２は、受信部９より系列局サーチ信号が出力されると、付加データ受信部７１から付加データを取得して、前記付加データに含まれた系列局番号を判定部７３へ出力する。判定部７３は、制御部７２から系列局番号が出力されると、チャンネル情報記憶部８を参照して、前記出力された系列局番号と同一の系列局番号を有する放送局が存在するかを確認して判定する（ステップＳＴ１２、ステップＳＴ１３）。
【００１９】
ステップＳＴ１３にて、同一系列局番号を有する放送局が存在する場合、判定部７３は、同一系列局番号を有する放送局のＴＳＩＤを取得して、該ＴＳＩＤを制御部７２へ出力し、制御部７２は、判定部７３から出力されたＴＳＩＤに基づき、チューナ２へ前記ＴＳＩＤの放送局の物理チャンネル番号を選局するよう指示する。チューナ２は、前記指示に基づき、前記ＴＳＩＤの放送局の物理チャンネル番号を選局する（ステップＳＴ１４）。また、ステップＳＴ１３にて、同一系列局番号が存在しない場合、その動作を終了する。
【００２０】
ステップＳＴ１１にて、短押でない場合、長押されたと判断して（ステップＳＴ１５）、リモコン１０は、受信可能な周波数帯を順次走査して系列局の選局を指示する信号（以下、物理サーチ信号と記載）を送信する。受信部９は、前記物理サーチ信号を受信して制御部７２へ出力する。制御部７２は、受信部９から物理サーチ信号が出力されると、受信可能な周波数帯を順次走査して系列局を選局する物理チャンネルサーチを行う（ステップＳＴ１６）。
【００２１】
以上のように、実施の形態２によるデジタル放送受信装置では、リモコン１０に設けられた系列局ボタン１１が短押されたか、長押されたかにより、系列局をサーチする動作を変更するようにしたので、チャンネル情報記憶部８に記憶されたプリセット情報に、同一系列の放送局の情報が無いことが予めわかっている場合等に、ユーザが系列局をサーチする動作を選択できるという効果がある。その他の効果は実施の形態１と同様である。
【００２２】
実施の形態３．
実施の形態１、２では、チャンネル情報記憶部８にプリセット情報Ａだけが記憶されている形態について説明したが、この実施の形態２では、チャンネル情報記憶部８にプリセット情報Ａとプリセット情報Ｂの２つのプリセット情報が記憶されている形態について説明する。
【００２３】
図６は、この実施の形態３によるデジタル放送受信装置のチャンネル情報記憶部８に記憶された情報の構造を示した図であり、プリセット情報Ａとプリセット情報Ｂの２つのプリセット情報が記憶されている。また、この実施の形態３による判定部７３は、値を計測するカウンタと、ＴＳＩＤを一時的に記憶するための内部メモリとを備え、制御部７２は、予め決められた一定時間を計測するタイマを備えている。その他の構成については実施の形態１と同様であるため、その説明を省略する。
【００２４】
次に動作について説明する。
図７−１、図７−２は、この実施の形態３によるデジタル放送受信装置の動作を示したフローチャートであり、図７−１は、受信中のデジタル放送信号と同一系列の放送局が、チャンネル情報記憶部８に存在するか否かを確認する動作を示したフローチャート、図７−２は、選局時の動作を示したフローチャートである。なお、この実施の形態３では、図６に示した、放送局「ＨＨＨ」から送信されるデジタル放送信号が選局されており、プリセット情報Ａの番号が１、プリセット情報Ｂの番号が２であるものとして説明を行う。
【００２５】
放送局「ＨＨＨ」の受信エリアから外れたため、放送局「ＨＨＨ」から送信されるデジタル放送信号が受信できなくなった場合に、ユーザにより系列局ボタン１１が押されると、リモコン１０から系列局サーチ信号が送信される。受信部９は前記系列局サーチ信号を受信すると、前記系列局サーチ信号を制御部７２へ出力する。制御部７２は、受信部９より系列局サーチ信号が出力されると、付加データ受信部７１から付加データを取得して、前記付加データに含まれた系列局番号「０」を判定部７３へ出力する。判定部７３は、制御部７２から系列局番号「０」が出力されると、内部メモリに記憶された前回の検索結果を消去（クリア）する（ステップＳＴ２１）。
【００２６】
次に、判定部７３は、カウンタの値を０に設定する（ステップＳＴ２２）。次に、判定部７３は、チャンネル情報記憶部８に記憶されたプリセット情報の数が２であることを確認すると共に、カウンタの値が、前記プリセット情報の数より小さいか否かを確認する（ステップＳＴ２３）。ここでは、カウンタの値が０であり、前記プリセット情報数が２であるので、判別部７３は、チャンネル情報記憶部８を参照して、カウンタの値「０」に１を加えた数と同じ番号のプリセット情報Ａに、制御部７２から出力された系列局番号「０」と同一の系列局番号を有する放送局が存在するか否かを確認して判定する（ステップＳＴ２４、ステップＳＴ２５）。
【００２７】
ここでは、プリセット情報Ａに同一の系列局番号「０」を有する放送局「ＡＡＡ」と放送局「ＧＧＧ」が存在するので、判定部７３は、放送局「ＡＡＡ」のＴＳＩＤ「７Ｄ７０」と、放送局「ＧＧＧ」のＴＳＩＤ「７Ｄ５０」を内部メモリに記憶して、カウンタの値を１増やし（ステップＳＴ２７）、１とする。次に判定部７３は、カウンタの値とプリセット情報数とを比較し（ステップＳＴ２３）、カウンタの値が１、プリセット情報数が２であることから、２番目のプリセット情報Ｂに、系列局番号「０」と同一の系列局番号を有する放送局が存在するか否かを確認判定する（ステップＳＴ２４、ステップＳＴ２５）。
【００２８】
ここでは、プリセット情報Ｂに、放送局「ＨＨＨ」と同一系列局番号「０」の放送局は存在しないため、判定部７３は、カウンタの値を１増やし（ステップＳＴ２７）、２とする。次に判定部７３は、カウンタの値２がプリセット情報数２よりも小さくないことから、内部メモリに記憶していたＴＳＩＤ「７Ｄ７０」を取得して（ステップＳＴ２８）、出力する。
【００２９】
制御部７２は、判定部７３からＴＳＩＤ「７Ｄ７０」が出力されると選局処理を開始する（ステップＳＴ２９）。制御部７２は、判定部７３から出力されたＴＳＩＤ「７Ｄ７０」に基づき放送局「ＡＡＡ」の物理チャンネル番号「２４」を選局するようにチューナ２へ指示を行うと共に、タイマをスタートさせて受信状態の監視を開始する（ステップＳＴ３０）。制御部７２は、一定時間内に放送局「ＡＡＡ」から送信されるデジタル放送信号を受信できた場合、タイマをリセットして、受信状態の監視を停止し（ステップＳＴ３６）、プリセット情報を使用した系列曲の選局動作を終了する（ステップＳＴ３５）。
【００３０】
また、ステップＳＴ３１にて、一定時間内に放送局「ＡＡＡ」から送信されるデジタル放送信号を受信できない場合、制御部７２は、タイマをリセットして、受信状態の監視を停止し（ステップＳＴ３２）、判定部７３のメモリに選局可能な系列局がまだ存在するか否かを確認する（ステップＳＴ３３）。ここでは、選局可能な系列局として、ＴＳＩＤ「７Ｄ５０」を有する放送局「ＧＧＧ」が存在するので、判定部７３は、メモリから放送局「ＡＡＡ」のＴＳＩＤ「７Ｄ７０」を削除したのち、放送局「ＧＧＧ」のＴＳＩＤ「７Ｄ５０」をメモリより取得して制御部７２へ出力する。制御部７２は、ＴＳＩＤ「７Ｄ５０」が出力されると放送局「ＡＡＡ」の場合と同様にして、ステップＳＴ２９からの処理を行う。
【００３１】
なお、ステップＳＴ３１において、一定時間内に放送局「ＧＧＧ」から送信されるデジタル放送信号を受信できない場合、制御部７２は、タイマをリセットして、受信状態の監視を停止し（ステップＳＴ３２）、選局可能な系列局がまだ存在するか否かを確認する（ステップＳＴ３３）が、選局可能な系列局がこれ以上存在しない場合、制御部７２は、物理チャンネルサーチを行い（ステップＳＴ３７）、その動作を終了する。
【００３２】
以上のように、この実施の形態３では、系列局の検索時に、チャンネル情報記憶部に記憶されたすべてのプリセット情報を確認するので、複数の系列局を選局対象に選ぶことができ、同一系列局から送信されるデジタル放送信号の受信確率が上がるという効果ある。なお、この実施の形態３では、実施の形態１に適用した場合について説明したが、実施の形態２に適用することも可能である。この場合、系列局ボタン１１が短押されると、系列局の選局動作が開始されるが、図７−２のステップＳＴ３３において、選局可能な系列局が存在しない場合、ステップＳＴ３７の動作を行わずに動作を終了する。
【００３３】
実施の形態４．
実施の形態３では、プリセット情報Ａおよびプリセット情報Ｂが、チャンネル記憶部８に記憶されている場合について説明を行ったが、この実施の形態４では、過去に記憶したプリセット情報を保持しておき、前記過去のプリセット情報を利用する形態について説明する。
【００３４】
図８は、この実施の形態４によるデジタル放送受信装置のチャンネル情報記憶部８に記憶された情報構造を示した図であり、プリセット情報Ａと、１つ前の過去のプリセット情報Ａ'の２つのプリセット情報が記憶されている。なお、その他の構成については実施の形態３と同様の構成であるため、その説明を省略する。
【００３５】
次に動作について説明する。
図９は、この実施の形態４によるデジタル放送受信装置の動作を示したフローチャートである。なお、この実施の形態４では、図８に示した、放送局「ＣＣＣ」から送信されるデジタル放送信号が選局されており、プリセット情報Ａ'の番号が１であるものとして説明を行う。
【００３６】
放送局「ＣＣＣ」の受信エリアから外れたため、放送局「ＣＣＣ」から送信されるデジタル放送信号が受信できなくなった場合に、ユーザにより系列局ボタン１１が押されると、リモコン１０から系列局サーチ信号が送信される。受信部９は前記系列局サーチ信号を受信すると、前記系列局サーチ信号を制御部７２へ出力する。制御部７２は、受信部９より系列局サーチ信号が出力されると、付加データ受信部７１から付加データを取得して、前記付加データに含まれた系列局番号を判定部７３へ出力する。判定部７３は、制御部７２から系列局番号が出力されると、内部メモリに記憶された前回の検索結果を消去（クリア）する（ステップＳＴ４１）。
【００３７】
次に、判定部７３は、カウンタの値を０に設定する（ステップＳＴ４２）。次に、判定部７３は、チャンネル情報記憶部８に記憶された過去のプリセット情報の数が１であることを確認すると共に、カウンタの値が、前記プリセット情報の数より小さいか否かを確認する（ステップＳＴ４３）。ここでは、カウンタの値が０であり、前記過去のプリセット情報数が１であるので、判別部７３は、チャンネル情報記憶部８を参照して、カウンタの値「０」に１を加えた数と同じ番号のプリセット情報Ａ'に、制御部７２から出力された系列局番号「３」と同一の系列局番号を有する放送局が存在するか否かを確認判定する（ステップＳＴ４４、ステップＳＴ４５）。
【００３８】
ここでは、プリセット情報Ａ'に同一の系列局番号「３」を有する放送局「ＬＬＬ」が存在するので、判定部７３は、放送局「ＬＬＬ」のＴＳＩＤ「７ＥＦ３」を内部メモリに記憶して、カウンタの値を１増やし（ステップＳＴ４７）、１とする。次に判定部７３は、カウンタの値とプリセット情報数とを比較し（ステップＳＴ４３）、カウンタの値が１、プリセット情報数が１であることから、内部メモリに記憶していたＴＳＩＤ「７ＥＦ３」を取得して（ステップＳＴ４８）、制御部７２へ出力する。なお、以降の処理は図７−２のステップＳＴ２９からステップＳＴ３５と同じであるためその説明を省略する。
【００３９】
以上のように、この実施の形態４では、過去に記憶したプリセット情報を保持しておき、前記過去のプリセット情報を利用するので、実施の形態３よりも多くの列局を選局対象に選ぶことができ、同一系列局から送信されるデジタル放送信号の受信確率が上がるという効果ある。なお、この実施の形態では、実施の形態１に適用した場合について説明したが、この実施の形態３と同様に実施の形態２に適用することも可能である。
【００４０】
実施の形態５．
実施の形態４では、過去のプリセット情報に加工を施すことなくそのまま記憶していたが、この実施の形態５では、過去のプリセット情報を記憶する際に、系列局の選択に必要な情報のみを記憶する形態について説明する。
図１０は、系列局の選局に必要な情報として、物理チャンネル番号、ＴＳＩＤ、系列局番号のみを記憶した場合を示した図である。図１１は、系列局ごとに、物理チャンネル番号、ＴＳＩＤを整理して記憶した場合を示した図である。
【００４１】
以上のように、この実施の形態５では、図１０、図１１に示すように、過去のプリセット情報として系列局の選択に必要な情報のみを記憶するようにしたので、メモリの使用量を抑えることができる効果がある。
【図面の簡単な説明】
【００４２】
【図１】実施の形態１によるデジタル放送受信装置の構成図である。
【図２】チャンネル情報記憶部に記憶された情報構造を示した図である。
【図３】リモコン１０のボタン配列を示した図である。
【図４】実施の形態１によるデジタル放送受信装置の動作を示したフローチャートである。
【図５】実施の形態２によるデジタル放送受信装置の動作を示したフローチャートである。
【図６】チャンネル情報記憶部に記憶された情報構造を示した図である。
【図７−１】同一系列局の存在を確認する動作を示したフローチャートである。
【図７−２】選局時の動作を示したフローチャートである。
【図８】チャンネル情報記憶部に記憶された情報構造を示した図である。
【図９】デジタル放送受信装置の動作を示したフローチャートである。
【図１０】物理アドレス、ＴＳＩＤ、系列局番号のみを記憶した場合を示した図である。
【図１１】系列局ごとに、物理アドレス、ＴＳＩＤを整理して記憶した場合を示した図である。
【符号の説明】
【００４３】
１  アンテナ、  ２  チューナ、  ３  信号分離部、  ４  映像デコーダ、  ５  ＯＳＤ重畳部、  ６  音声デコーダ、  ７  ＣＰＵ、  ８  チャンネル情報記憶部（記憶部）、  ９  受信部、  １０  リモコン（操作部）、  １１  系列局ボタン、  １２  操作部。
【図１】
2008294744.tif 000003
【図２】
2008294744.tif 000004
【図３】
2008294744.tif 000005
【図４】
2008294744.tif 000006
【図５】
2008294744.tif 000007
【図６】
2008294744.tif 000008
【図７−１】
2008294744.tif 000009
【図７−２】
2008294744.tif 000010
【図８】
2008294744.tif 000011
【図９】
2008294744.tif 000012
【図１０】
2008294744.tif 000013
【図１１】
2008294744.tif 000014